(57)【要約】【課題】  周囲に人がいる場合でも、不快感を与えず迷惑をかけることなく、着信メロディなどの着信楽曲を設定したり試聴したりすることができる携帯端末を提供する。  【解決手段】  携帯電話１００に、少なくとも着信時の着信メロディを出力するスピーカ３と、通話時に通話相手の音声を出力する通話用スピーカ（レシーバ２０）と、情報処理部と、着信楽曲データを記憶する補助記憶部と、ユーザによる操作を受け付けるキー入力部とを備える。キー入力部から着信メロディ試聴希望が選択されたときに、情報処理部が補助記憶部から索出した着信楽曲データを、スピーカ３に代えてレシーバ２０から出力させる。レシーバ２０からの出力音量を通話時における音声の音量とほぼ等しい音量に制御する。端末ジャック１１にイヤフォン１２を接続した場合、イヤフォン１２から優先的に着信メロディを出力させる。【選択図】        図２
2005094313.tif 000002
【特許請求の範囲】
【請求項１】
通話時において通話相手の音声を出力する通話用音声出力手段と、
少なくとも着信時において携帯端末所持者に着信を通知する着信楽曲を、外部に認識可能な音量で出力する着信楽曲用音響出力手段と、
前記着信楽曲データを記憶する楽曲記憶手段と、
携帯端末所持者からの操作を受け付ける操作手段と、
前記操作手段により前記楽曲の試聴希望が選択されたときに、前記楽曲記憶手段から読み出した着信楽曲データを、前記着信楽曲用音響出力手段に代えて、前記通話用音声出力手段から出力するようにした制御手段とを有する
ことを特徴とする携帯端末。
【請求項２】
前記通話用音声出力手段から出力される着信楽曲の音量が、通話相手の音声の音量とほぼ等しい音量になるように制御される
ことを特徴とする請求項１記載の携帯端末。
【請求項３】
前記通話用音声出力手段が互いに近接して設けられた第１のスピーカおよび第２のスピーカから構成され、
前記制御手段により、前記第１のスピーカから通話相手の音声が出力され、前記第２のスピーカから着信楽曲が出力されるように制御される
ことを特徴とする請求項１記載の携帯端末。
【請求項４】
情報を表示可能に構成された表示手段をさらに有し、
少なくとも前記通話用音声出力手段から着信楽曲が出力されている間に、前記表示手段に、前記通話用音声出力手段からの着信楽曲の出力に関する情報を表示する
ことを特徴とする請求項１記載の携帯端末。
【請求項５】
前記通話用音声出力手段にイヤフォンを接続可能に構成され、
前記イヤフォンが前記通話用音声出力手段に接続された状態において、着信楽曲が、前記通話用音声出力手段に代えて前記イヤフォンから出力される
ことを特徴とする請求項１記載の携帯端末。
【発明の詳細な説明】
【技術分野】
【０００１】
この発明は、携帯端末に関し、着信メロディを設定可能に構成され、特に情報処理センタから着信メロディ（着メロ）などの着信楽曲をダウンロードして再生可能な携帯端末に適用して好適なものである。
【背景技術】
【０００２】
近年、携帯電話を利用した様々なサービスが提供されている。例えば、特許文献１に記載された「通信カラオケ応用システム」においては、カラオケシステムに限定しているが、通信カラオケ事業者が用意している様々なカラオケ関連情報を、携帯電話を通して利用可能なシステムとして提案されている。
【０００３】
このような携帯電話により利用可能な種々のサービスの中で、最も利用者に利用されているサービスの１つとして、着信メロディサービスがある。このサービスは、携帯電話に利用者の好みのメロディを記録させておき、着信音として、メロディを演奏するものである。
【０００４】
すなわち、携帯電話が備える付加価値機能として、着信メロディ機能がある。この着信メロディ機能は、従来の電話機のような定型的な呼び出し音による着信通知を行うのみならず、様々なジャンルの着信メロディを再生することにより着信通知を行うものである。また、着信メロディを再生しない場合に、着信通知を行うために、携帯電話本体を振動させるようにしたバイブレータ機能も備えられている。
【０００５】
上述の着信メロディ機能および着信メロディサービスにより、利用者が携帯電話を用いて、着信メロディサービスを提供している事業者のサーバにアクセスして、サーバ上で希望の着信メロディを選択し、携帯電話にダウンロードすることにより、着信音として利用することができる。そのため、利用者は、好みの着信メロディを選択して、お気に入りのメロディにより着信を認識することができるようになる。
【０００６】
また、この着信メロディに関して、例えば、特許文献２に記載された「携帯電話の着信メロディ送り出し装置」は、現在広く利用されている、携帯電話によりメロディをストックしたセンタにアクセスして好みの着信データをダウンロードする方式を改良したものである。
【特許文献１】特開２０００−１８１４６４号公報
【特許文献２】特開２０００−１３４３３２号公報
【発明の開示】
【発明が解決しようとする課題】
【０００７】
しかしながら、上述の従来の着信メロディ機能付きの携帯端末においては、次のような問題があった。
【０００８】
すなわち、音声着信、メール着信、またはアラームなどの着信メロディを設定するときに、この着信メロディは、携帯電話のスピーカから出力される。これは、実際の着信時の音量を設定できるようにするためであるとともに、実際の着信通知における音量によって視聴を行うためである。また、バイブレーションの強度を確認しながらバイブ強度の設定が行われる。
【０００９】
しかしながら、このような方式を採用する場合、駅や電車内などの周囲に人がいる場所
においては、周囲にいる人々に不快感を与えてしまうなど、迷惑がかかる場合が多い。そのため、周囲に人がいる場所などにおいては、着信音の設定がしづらくなるという問題がある。
【００１０】
また、バイブレータ機能は、便利な機能である反面、着信メロディの設定などにおいては、極めて煩わしくなるという問題があった。
【００１１】
したがって、この発明の目的は、周囲に人がいる場合などであっても、これらの周囲の人々に不快感を与えず迷惑をかけることなく、着信メロディやダウンロードしたアプリなどの音響（以下、着信楽曲）を設定したり試聴したりすることができる携帯端末を提供することにある。
【課題を解決するための手段】
【００１２】
前記目的を達成するために、この発明は、
着信楽曲および音声を出力する機能を備えた携帯端末において、出力される着信楽曲の設定および／または出力される着信楽曲の試聴の際に、実際の着信楽曲の出力を忠実に模擬することなく、設定および／または試聴に適した方法に従って、着信楽曲の設定および／または試聴を行うようにする
ことを特徴とするものである。
【００１３】
具体的に、この発明は、
通話時において通話相手の音声を出力する通話用音声出力手段と、少なくとも着信時において携帯端末所持者に着信を通知する着信楽曲を、外部に認識可能な音量で出力する着信楽曲用音響出力手段と、着信楽曲データを記憶する楽曲記憶手段と、携帯端末所持者からの操作を受け付ける操作手段と、操作手段により楽曲の試聴希望が選択されたときに、楽曲記憶手段から読み出した着信楽曲データを、着信楽曲用音響出力手段に代えて、通話用音声出力手段から出力するようにした制御手段とを有する
ことを特徴とする携帯端末である。
【００１４】
このような構成にすることにより、携帯端末所持者であるユーザが着信メロディなどの音響を試聴したり設定したりする場合に、ユーザは、通常の通話時の状態で試聴用の音響である着信楽曲を聴くことができる。
【００１５】
この発明において、典型的には、制御手段により、通話用音声出力手段から出力される着信楽曲の音量が、通話相手の音声の音量とほぼ等しい音量になるように制御される。
【００１６】
このように構成することにより、携帯端末に通常設けられる通話用音声出力手段をユーザの耳に当てて、通話時の音量と同じ音量で、着信楽曲を確認しながら設定したり試聴したりすることが可能となる。また、通常、携帯端末に設けられている通話用音声出力手段とは別に、試聴用の着信楽曲を出力する試聴用音響出力手段としてのスピーカを増設する必要がないのみならず、携帯端末内部の配線を変更する必要がなくなるので、製造プロセスおよび実装コストを増加させずに、着信楽曲の試聴をユーザのみができるように構成することが可能となる。
【００１７】
この発明において、例えば、通話用音声出力手段が互いに近接して設けられた第１のスピーカおよび第２のスピーカから構成され、制御手段により、第１のスピーカから通話相手の音声が出力され、第２のスピーカから着信楽曲が出力されるように制御される。
【００１８】
このような構成にすることにより、通話相手の音声の出力と、着信楽曲の出力とを別のスピーカで構成した場合であっても、通話相手の音声が出力される出力位置と着信楽曲が
出力される出力位置とを、ほぼ同じ位置とすることが可能になるので、携帯端末に通常設けられる通話用音声出力手段をユーザの耳に当てて、通話時と同じ状態で、着信楽曲の設定や試聴が可能となる。また、携帯端末所持者による操作手段の操作に基づいて、制御手段により、第１のスピーカからの通話相手の音声と、第２のスピーカからの着信楽曲とを、必要に応じて、切り換えて、または同時に出力するように制御することができる。
【００１９】
この発明において、典型的には、情報を表示可能に構成された表示手段をさらに有し、少なくとも通話用音声出力手段から着信楽曲が出力されている間に、表示手段に、通話用音声出力手段からの着信楽曲の出力に関する情報を表示するように構成されている。
【００２０】
すなわち、通話用音声出力手段から出力される着信楽曲の音量が、通話時に出力される音声の音量とほぼ同じ場合、ユーザが着信楽曲の出力を認識できないが、上述のように構成することにより、ユーザが表示手段を見ることによって、着信楽曲が通話用音声出力手段から出力されていることを、ユーザに容易に認識させることが可能となる。
【００２１】
この発明において、典型的には、着信楽曲用音響出力手段からの着信楽曲の出力と、通話用音声出力手段からの着信楽曲の出力とを切り換え可能に構成されている。
【００２２】
このように構成することにより、ユーザは、必要に応じて、着信楽曲用音響出力手段から通常の音量の着信楽曲を出力させて着信楽曲の設定や試聴を行う方法と、通話用音響出力手段から通話の際の音声とほぼ同じ音量の着信楽曲を出力させて着信楽曲の設定や試聴を行う、いわゆるマナーモードの方法とを選択することが可能となる。これにより、周囲にユーザ以外の他人がいないときには通常の音量で、周囲に他人がいるときにはユーザのみが聞こえる音量で、着信楽曲の試聴や設定を行うことができるので、周囲に着信楽曲が響いて迷惑を及ぼさないようにすることができる。
【００２３】
この発明において、具体的には、通話用音声出力手段にイヤフォンを接続可能に構成され、イヤフォンが通話用音声出力手段に接続された状態において、通話用音声出力手段からイヤフォンを通じて着信楽曲が出力されるように構成されている。また、この着信楽曲および音声を出力可能なイヤフォンと、音声を入力可能で音声入力手段に接続可能なマイクロフォンとを併せて備えた、いわゆるハンズフリーマイクロフォンを利用することも可能である。さらに、通話用のイヤフォンが着信メロディなどの音響の再生に適していない場合には、通話と音楽との両方の出力形態に適したスピーカやイヤフォンを用いることも可能である。
【００２４】
このように構成することにより、着信楽曲の設定時や試聴時に、ユーザのみが着信楽曲を聴く状態を確保することが可能となり、周囲に着信楽曲が響いて迷惑を及ぼすのを防止することができる。
【００２５】
上述のように構成されたこの発明による携帯端末によれば、操作手段により楽曲の試聴希望が選択されたときに、楽曲記憶手段から読み出した着信楽曲データを、着信楽曲用音響出力手段に代えて、通話用音声出力手段から出力するようにしていることにより、携帯端末から出力される着信メロディなどの着信楽曲を設定したり試聴したりする際において、ユーザのみがこの着信楽曲を聴くようにすることが可能となる。そのため、人前で大きな音が鳴り響いて、これらの人に不快感を与えるのを防ぐことができる。
【発明の効果】
【００２６】
以上説明したように、この発明によれば、操作手段により楽曲の試聴希望が選択されたときに、楽曲記憶手段から読み出した着信楽曲データを、着信楽曲用音響出力手段に代えて、通話用音声出力手段から出力するようにしていることにより、着信メロディなどの着
信楽曲を設定する場合や試聴する場合においても、周囲に音が響き渡ることがなくなるので、周囲に対して不快感を与えることなく、着信楽曲の設定や試聴を行うことが可能となる。
【発明を実施するための最良の形態】
【００２７】
以下、この発明の一実施形態について図面を参照しながら説明する。なお、以下の一実施形態の全図においては、同一または対応する部分には同一の符号を付す。図１に、この一実施形態による携帯電話の構成を示す。
【００２８】
図１に示すように、この一実施形態による携帯電話においては、通話用音声出力手段としての通話用スピーカ１、音声入力手段としてのマイク２、着信楽曲用音響出力手段としてのスピーカ３、音声制御部４、表示手段としての表示部５、楽曲記憶手段としての補助記憶部６ａにデータを記憶可能に構成された制御手段としての情報処理部６、操作手段としてのキー入力部７、アンテナ８および無線制御部９を有して構成されている。
【００２９】
通話用スピーカ１は、通話相手の音声を出力するためのものである。すなわち、アンテナ８により受信された通話相手の音声情報は、無線制御部９、情報処理部６および音声制御部４を通じて、通話用スピーカ１から音声として出力される。
【００３０】
マイク２は、ユーザの発する声を入力するためのものである。すなわち、マイク２により、ユーザが発した音声が音声信号に変換され、音声制御部４、情報処理部６および無線制御部９を通じて、電波として出力される。
【００３１】
スピーカ３は、着信メロディや呼出音などを出力するためのものであり、これらの着信メロディや呼出音（発呼音）は、ユーザが若干離れていても認識可能な程度の音量で出力される。
【００３２】
音声制御部４は、情報処理部６により制御されることにより、音声信号経路を制御可能に構成されている。また、表示部５は、種々の情報を表示可能に構成され、情報処理部６により制御可能に構成されている。すなわち、表示部５に表示される情報は、情報処理部６により制御される。
【００３３】
また、補助記憶部６ａは、携帯端末を用いて、ネットワーク上の所定のサイトからダウンロードした着信楽曲データを記憶可能に構成されている。そして、この一実施形態において採用される着信メロディなどの楽曲のデータは、この補助記憶部６ａに一時的または継続的に格納される。
【００３４】
キー入力部７は、複数のキーがマトリクス状に配置されているとともに、ユーザが操作可能な位置に例えばソフトキーのトグルボタンなど設けられて構成されている。そして、このキー入力部７から情報処理部６に種々の入力がされることにより、携帯電話の操作が行われる。アンテナ８は、電波を送受信可能に構成され、無線制御部９は、この無線電波による送受信の制御を実行可能に構成されている。
【００３５】
また、この一実施形態による携帯電話においては、さらに、第２のスピーカとしての試聴用スピーカ１０と、端末ジャック１１とが設けられている。
【００３６】
試聴用スピーカ１０は、音声制御部４により制御可能に構成されている。また、この試聴用スピーカ１０は、例えば着信メロディなどの着信楽曲を、通話用スピーカ１から出力される音声とほぼ同じ音量で出力可能に構成されている。
【００３７】
また、端末ジャック１１は、イヤフォンやヘッドフォン、またはハンズフリーマイクロフォンなどにおける接続用端子、すなわちプラグ（図示せず）を挿入可能に構成されている。そして、このプラグを端末ジャック１１に挿入することにより、音声制御部４から出力される音声データおよび着信楽曲データが、それぞれ音声や着信楽曲としてイヤフォンやヘッドフォン、またはハンズフリーマイクロフォンのスピーカから出力される。また、ハンズフリーマイクロフォンを用いた場合には、マイクから入力された音声が電気信号に変換されて音声データとなり、音声制御部４に供給される。
【００３８】
次に、以上のようにして構成されたこの一実施形態による携帯電話における、通話用スピーカ１、スピーカ３および試聴用スピーカ１０の配置について説明する。
【００３９】
（第１の実施例）
まず、この一実施形態による携帯電話における通話用スピーカ１、スピーカ３および試聴用スピーカ１０の配置の第１の実施例について説明する。図２に、この第１の実施例による携帯電話を示す。
【００４０】
図２Ａに示すように、この第１の実施例による携帯電話１００においては、図１に示す通話用スピーカ１および試聴用スピーカ１０が、単一のレシーバ２０により兼用されている。
【００４１】
このレシーバ２０は、音声制御部４における通話音源４ａからの音声信号を、音声として出力可能に構成されているとともに、着信メロディなどの、着信楽曲による着信通知を行うための音響音源４ｂからの着信楽曲データを、楽曲として出力可能に構成されている。
【００４２】
このレシーバ２０は、通話時において通話相手の音声を出力するのに最適な音量になるように設定がされている。そのため、このレシーバ２０から出力される音声の音量は、この位置にユーザが耳を当てなければ聞けないように構成されている。
【００４３】
また、通話音源４ａからの音声出力のみならず、音響音源４ｂからの着信メロディなどの着信を通知するための着信楽曲も、ユーザがこのレシーバ２０の位置に耳を当てなければ聞こえないように構成されている。
【００４４】
また、同様に、通話音源４ａおよび音響音源４ｂは、スピーカ３に接続されている。このスピーカ３は、ユーザが携帯電話１００から比較的離れていても着信音（着信メロディ）を認識可能なように、着信楽曲を比較的大きな音量で出力するように構成されている。
【００４５】
また、スピーカ３は、携帯電話１００のレシーバ２０の位置にユーザが耳を当てることなく通話相手と通話可能な、いわゆるハンズフリー通話を行う際に、ユーザがレシーバ２０の位置に耳を当てずに聞くことが可能な音量で、通話音源４ａから出力された音声信号を音声として出力するように構成されている。
【００４６】
そして、ユーザが携帯電話１００におけるキー入力部７を操作して、携帯電話１００の各種機能を利用するうちの、着信メロディの設定を行う場合や、試聴Ｊａｖａ（登録商標）アプリをダウンロードして試聴する場合においては、着信楽曲データがダウンロードされ格納された補助記憶部６ａから、情報処理部６により着信楽曲データが索出され、音声制御部４に供給され、音響音源４ｂから着信楽曲データが音響信号としてレシーバ２０に供給されるように設定されている。
【００４７】
これにより、音響音源４ｂから出力される着信メロディやダウンロードしたアプリなど
の着信楽曲は、レシーバ２０から出力される。そのため、ユーザは、レシーバ２０の位置に耳を当てることによって、出力されている着信楽曲を確認するようになる。
【００４８】
このとき、レシーバ２０から出力される着信楽曲は、離れた状態で聞くことができない状態にある。そのため、ユーザがレシーバ２０の位置に耳を当てていないと、着信楽曲が出力されているにもかかわらず、この出力状態を認識することができない可能性がある。
【００４９】
そこで、この第１の実施例による携帯電話１００においては、図４Ａに示すように、着信メロディがレシーバ２０から出力されている場合には、情報処理部６から表示部５に情報データが供給されて、表示部５に、着信楽曲が出力されていることを示す情報、例えば「着信メロディが出力されています！  耳に当てて音を確認して下さい。」などの着信楽曲の出力に関する、例えばテキスト形式の情報が表示されるようにする。
【００５０】
これにより、レシーバ２０から着信メロディが出力されている状態を、ユーザに認識させることが可能となる。なお、表示部５に表示される表示例としては、テキスト形式の情報以外にも、通話時における携帯電話１００の状態、すなわち携帯電話１００が人間の耳に当てられている画像を表示するようにしても良く、また、テキスト形式の情報と画像とを同時に表示するようにしても良い。
【００５１】
また、図２Ｂに示すように、携帯電話１００の端末ジャック１１にイヤフォン１２を接続することにより、通話音源４ａからの音声信号および音響音源４ｂからの音響信号が、端末ジャック１１を通じてイヤフォン１２から出力される。
【００５２】
この場合、イヤフォン１２からの音声や音響が優先され、スピーカ３およびレシーバ２０からは出力されないように制御されるのが好ましい。すなわち、イヤフォン１２の端子（プラグ）が端末ジャック１１に挿入された状態を情報処理部６により検知することにより、通話音源４ａから出力される通話音声信号および音響音源４ｂから出力される音響信号が、情報処理部６により端末ジャック１１にのみ供給され、スピーカ３およびレシーバ２０からは音が出力されない状態になる。そして、このイヤフォン１２から、通話音源４ａからの通話音声および音響音源４ｂからの着信楽曲が出力される。
【００５３】
また、イヤフォン１２は、ユーザの耳に直接装着されるものであるため、ユーザのみが通話音声および着信楽曲を聞くことができるようになる。そのため、着信楽曲が響くことによる周囲への迷惑を抑制しつつ、ユーザが着信メロディやダウンロードしたアプリなどの着信楽曲を試聴することが可能となる。
【００５４】
（第２の実施例）
次に、この一実施形態による携帯電話における通話用スピーカ１、スピーカ３および試聴用スピーカ１０の配置に関する第２の実施例について説明する。図３に、この第２の実施例による携帯電話を示す。
【００５５】
すなわち、図３Ａに示すように、この第２の実施例による携帯電話１００においては、第１の実施例とは異なり、図１に示す通話用スピーカ１および試聴用スピーカ１０が、隣接して配置されている。
【００５６】
なお、通常、携帯電話１００の筐体には、通話用スピーカ１からの音声をユーザにとって聞きやすくするために、通話用スピーカ１が設けられた位置の筐体の部分に、音声出力用の開口部（図示せず）が設けられている。
【００５７】
この第２の実施例においては、携帯電話１００の筐体の部分における、通話用スピーカ
１の位置と試聴用スピーカ１０の位置とに開口部を２つ設けて、着信楽曲の出力位置が音声の出力位置の近傍になるようにしたり、通話用スピーカ１と試聴用スピーカ１０との中間の位置や通話用スピーカ１の位置に開口部を設けたり、または通話用スピーカ１と試聴用スピーカ１０とにまたがるような形状の開口部を設けたりして、着信楽曲の出力位置と音声の出力位置とが同じ位置になるようにする。
【００５８】
これにより、ユーザが着信メロディなどの着信楽曲を試聴したり設定したりする場合に、ユーザは、通常の通話時の状態で確認用の着信楽曲を聴くことができるので、周囲から奇異の目で見られにくくなり、第１の実施例と同様の効果を得ることができる。なお、イヤフォン１２を接続した場合（図３Ｂ参照）や、スピーカ３、音声制御部４、表示部５における表示例（図４Ｂ参照）などに関するその他の構成については、第１の実施例におけると同様であるので、その説明を省略する。
【００５９】
以上、この発明の一実施形態について具体的に説明したが、この発明は、上述の一実施形態に限定されるものではなく、この発明の技術的思想に基づく各種の変形が可能である。
【００６０】
例えば、上述の一実施形態においては、試聴用スピーカ１０を設けるようにしているが、試聴用スピーカ１０とスピーカ３とを兼用して用いることも可能である。すなわち、音響音源４ｂからの出力が全てスピーカ３に供給されるようにし、携帯電話１００のキー入力部７の操作により、着信メロディの設定やダウンロードしたアプリの試聴などのモードになっているときには、情報処理部６および音声制御部４により、スピーカ３から出力される着信楽曲の音量が、通話用スピーカ１から出力される音声の音量とほぼ等しくなるように制御される。
【００６１】
また、例えば上述の一実施形態においては、着信楽曲の試聴／設定の場合において、試聴用スピーカ１０やレシーバ２０から通話音声の音量とほぼ同じ音量で着信楽曲が出力されるように制御されているが、ユーザが携帯電話１００のキー入力部７を操作して、この通話音声の音量とほぼ同じ音量で出力する方式と、着信時に実際にスピーカ３から出力される音量およびバイブレーションをシミュレーション（模擬）しながら設定する通常の方式とを、排他的に切り換え可能に構成するようにしても良い。この場合、初期設定として、着信楽曲の試聴時においては、試聴用スピーカ１０やレシーバ２０から、通話音声とほぼ同じ音量で着信楽曲を出力する設定となっているのが望ましい。このように構成することにより、周囲に人があまりいない状態、例えば自宅などにおいて着信楽曲の設定や試聴を行う場合に、ユーザが実際の音量を確認しながら、着信楽曲の設定を行うことが可能となる。
【００６２】
また、例えば上述の一実施形態において、携帯電話１００における着信楽曲の試聴／設定の場合においては、スピーカ３からの着信楽曲を出力させることなく、試聴用スピーカ１０やレシーバ２０から着信楽曲を出力するようにしているが、これらのスピーカ３と試聴用スピーカ１０やレシーバ２０とから同時に着信楽曲を出力することも可能である。
【図面の簡単な説明】
【００６３】
【図１】この発明の一実施形態による携帯電話の構成を示すブロック図である。
【図２】この発明の一実施形態に基づいた第１の実施例による携帯電話における配置の特徴部分を示すブロック図である。
【図３】この発明の一実施形態に基づいた第２の実施例による携帯電話における配置の特徴部分を示すブロック図である。
【図４】この発明の一実施形態による携帯電話を用いて着信楽曲を試聴する時の表示部における表示例を示す略線図である。
【符号の説明】
【００６４】
１  通話用スピーカ
２  マイク
３  スピーカ
４  音声制御部
４ａ  通話音源
４ｂ  音響音源
５  表示部
６  情報処理部
６ａ  補助記憶部
７  キー入力部
８  アンテナ
９  無線制御部
１０  試聴用スピーカ
１１  端末ジャック
１２  イヤフォン
２０  レシーバ
１００  携帯電話
【図１】
2005094313.tif 000003
【図２】
2005094313.tif 000004
【図３】
2005094313.tif 000005
【図４】
2005094313.tif 000006